(57)【特許請求の範囲】
【請求項１】
少なくとも１つの加熱可能な導電性被覆（８）を備え、前記導電性被覆（８）は、電源の両方の極と電気的に接続するために設けられている少なくとも２つのブスバー（１１、１１′）と、供給電圧の印加により加熱電流が前記少なくとも２つのブスバーの間に形成された加熱フィールド（１２）を介して流れるように接続されていて、前記加熱フィールド（１２）は、少なくとも１つの被覆のない区域（１４）を備え、前記被覆のない区域（１４）は、導電性被覆（８）により少なくとも部分的に形成された、被覆のない区域（１４）の区域縁部（１６）により区切られ、かつ前記被覆のない区域（１４）は、少なくとも１つの補助電極（１５、１５′、１５″）により少なくとも部分的に取り囲まれている透明のウィンドガラス（１）において、
−  前記少なくとも１つの補助電極（１５、１５′、１５″）は、前記被覆（８）の前記加熱フィールド（１２）を介して前記ブスバー（１１、１１′）と電気的に接続されていて、かつ
−  前記少なくとも２つのブスバー（１１、１１′）は、相対的に明るい色調を示し、かつ前記補助電極は、相対的に暗い色調を示し、前記少なくとも２つのブスバー（１１、１１′）は、銀ペーストの全体量を基準として７０質量％以上９０質量％以下の銀含有率の銀ペーストを用いて製造されており、かつ前記少なくとも１つの補助電極（１５、１５′、１５″）は、銀ペーストの全体量を基準として５０質量％以上７０質量％未満の銀含有率の銀ペーストを用いて製造されている
ことを特徴とする透明のウィンドガラス（１）。
【請求項２】
前記少なくとも１つの補助電極（１５、１５′、１５″）の電気伝導率は、前記少なくとも２つのブスバー（１１、１１′）の電気伝導率の０．０５倍以上０．３倍以下であることを特徴とする、請求項１に記載の透明のウィンドガラス（１）。
【請求項３】
前記少なくとも２つのブスバー（１１、１１′）は、Ｌ*＞６５を示す相対的に明るい色調を示し、及び／又は前記少なくとも１つの補助電極（１５、１５′、１５″）は、Ｌ*≦６５を示す相対的に暗い色調を示すことを特徴とする、請求項１又は２に記載の透明のウィンドガラス（１）。
【請求項４】
前記少なくとも１つの補助電極（１５、１５′、１５″）は、少なくとも部分的に、直線形、波形、メアンダ形、鋸歯形及び／又はジグザグ形に延びることを特徴とする、請求項１から３までのいずれか１項に記載の透明のウィンドガラス（１）。
【請求項５】
前記少なくとも１つの補助電極（１５、１５′、１５″）及び前記少なくとも２つのブスバー（１１、１１′）は、１つの方法工程で２種の異なる銀ペーストを用いて製造されていることを特徴とする、請求項１から４までのいずれか１項に記載の透明のウィンドガラス（１）。
【請求項６】
前記少なくとも１つの補助電極（１５、１５′、１５″）及び前記少なくとも２つのブスバー（１１、１１′）は、スクリーン印刷により製造されていることを特徴とする、請求項５に記載の透明のウィンドガラス（１）。
【請求項７】
前記少なくとも１つの被覆のない区域（１４）は、前記透明のウィンドガラス（１）の取り付けられた状態で上側のブスバー（１１）に近接して配置されていることを特徴とする、請求項１から６までのいずれか１項に記載の透明のウィンドガラス（１）。
【請求項８】
前記被覆のない区域（１４）は、マスキングストリップ（１３、１３′）により部分的にだけ覆い隠されていることを特徴とする、請求項１から７までのいずれか１項に記載の透明のウィンドガラス（１）。
【請求項９】
次の方法工程：
（Ａ）  導電性被覆（８）を製造すること、
（Ｂ）  前記導電性被覆（８）内でかつ加熱フィールド（１２）内に、少なくとも１つの被覆のない区域（１４）又は少なくとも２つの被覆のない区域（１４、１４′、１４″）を製造すること、
（Ｃ）  前記導電性被覆（８）と電気的に接続されていることで、供給電圧の印加により両方のブスバー（１１、１１′）の間に存在する加熱フィールド（１２）を介して加熱電流が流れる、電源の両方の極と接続された少なくとも２つのブスバー（１１、１１′）を形成すること、
（Ｄ）  前記両方のブスバー（１１、１１′）と電気的に接続するために設けられている、少なくとも１つの被覆のない区域（１４）を少なくとも部分的に取り囲む少なくとも１つの補助電極（１５、１５′、１５″）を製造すること
を含む、請求項１から８までのいずれか１項に記載の透明のウィンドガラス（１）の製造方法。
【請求項１０】
（Ｅ）  方法工程（Ｃ）及び（Ｄ）を同時にスクリーン印刷によって実施することを特徴とする、請求項９に記載の方法。
【請求項１１】
−  前記少なくとも２つのブスバー（１１、１１′）の製造のために、相対的に明るいブスバー（１１、１１′）を提供する銀ペーストを用い、かつ
−  前記少なくとも１つの補助電極（１５、１５′、１５″）の製造のために、相対的に暗い補助電極（１５、１５′、１５″）を提供する銀ペーストを用いる
ことを特徴とする、請求項９又は１０に記載の方法。
【請求項１２】
−  前記少なくとも２つのブスバー（１１、１１′）の製造のために使用された銀ペーストは、前記銀ペーストの全体量を基準として７０質量％以上９０質量％以下の銀含有率を示し、かつ
−  前記少なくとも１つの補助電極（１５、１５′、１５″）の製造のために使用された銀ペーストは、前記銀ペーストの全体量を基準として５０質量％以上７０質量％未満の銀含有率を示す
ことを特徴とする、請求項９から１１までのいずれか１項に記載の方法。
【請求項１３】
方法工程（Ｃ）及び（Ｄ）を、生じる前記補助電極の電気伝導率が、前記ブスバーの電気伝導率の０．０５倍以上０．３倍以下であるように実施することを特徴とする、請求項９から１２までのいずれか１項に記載の方法。
【請求項１４】
請求項１から８までのいずれか１項に記載の透明のウィンドガラス（１）及び請求項９から１３までのいずれか１項に記載の方法により製造された透明のウィンドガラス（１）の、家具、機器、建物及び移動手段内の、機能的及び／又は装飾的な個別部材として及び取付部材としての使用。
【発明の詳細な説明】
【技術分野】
【０００１】
本発明は、本発明の技術分野による、請求項１の上位概念による電気的に加熱可能な被覆を備えた加熱可能な透明のウィンドガラスに関する。
【０００２】
更に、本発明は、加熱可能な透明のウィンドガラスの製造方法に関する。
【０００３】
とりわけ、本発明は、加熱可能な透明のウィンドガラスの使用に関する。
【０００４】
後に引用された先行技術の文献の内容は、全ての範囲が本明細書の構成要素である。
【背景技術】
【０００５】
電気加熱層を備えた加熱可能な透明のウィンドガラスは、それ自体公知であり、かつ既に何度も特許文献において記載されている。単に例示的に、この関連で、独国公開公報の独国特許出願公開第１０２００８０１８１４７号明細書（DE 102008018147 A1）、独国特許出願公開第１０２００８０２９９８６号明細書（DE 102008029986 A1）及び国際公開第００／７２６３号（WO 00/7263 A1）が挙げられる。自動車においてこのウィンドガラスは頻繁にフロントウィンドガラスとして使用される、というのも中央の視野領域は、法的規準に基づいて、加熱ワイヤを除いて視界を制限するものを含んではならないためである。加熱層により発せられる熱により、短時間のうちに、凝結した水分、氷及び雪を除去することができる。大抵は、このようなウィンドガラスは、２つの個別ウィンドガラスが熱可塑性接着層により互いに結合されている合わせガラスとして製造される。加熱層は、個別ウィンドガラスの内側表面の１つに施すことができ、この際、この加熱層が、両方の個別ウィンドガラスの間に配置されている支持体上に存在する構造も公知である。
【０００６】
加熱層は、原則として、加熱電流をできる限り均一に被覆内に導入し、かつ広いフロント部で分配する、少なくとも一対のストリップ状又はバンド状のブスバー（「バスバー（Busbar）」）と電気的に接続されている。ウィンドガラスの魅力のある美的な外見のために、不透明なブスバーは、不透明のマスキングストリップにより覆い隠される。
【０００７】
一般に、加熱可能な被覆の相対的な熱出力Ｐspecは、式Ｐspec＝Ｕ2／（Ｒ□・Ｄ2）により表すことができ、式中、Ｕは、供給電圧であり、Ｒ□は、被覆の電気的シート抵抗であり、かつＤは、両方のブスバー間の距離である。被覆のシート抵抗Ｒ□は、現在、大量生産で使用される材料の場合、単位面積当たり数オーム（Ω／□）のオーダーにある。
【０００８】
自動車において標準的に使用される１２〜２４Ｖの電源電圧により、望ましい目的を果たす熱出力を達成するために、ブスバーは、互いにできる限り狭い間隔Ｄを有することが好ましい。加熱可能な被覆の抵抗Ｒは、電流路の長さと共に増大するという事実を考慮して、かつ車両ウィンドガラスは、原則として高さよりも幅広であるために、ブスバーは、通常では、上側のウィンドガラス縁部及び下側のウィンドガラス縁部に沿って配置されるので、加熱電流は、ウィンドガラスの高さのより短い経路を介して流れることができる。
【０００９】
電気加熱層を備えたウィンドガラスは、電磁波を比較的強く遮るので、殊に加熱可能なフロントウィンドガラスを備えた自動車の場合に、無線データ通信は著しく損なわれかねない。したがって、加熱可能なフロントウィンドガラスには頻繁に、少なくとも電磁スペクトルの所定の領域に対して良好に透過性である被覆のない区域（「情報伝達ウインドウ又はセンサーウインドウ」）が設けられ、このようにして円滑なデータ通信が可能となる。頻繁に電子装置、例えばセンサなどが存在する被覆のない区域は、通常では、上側のウィンドガラス縁部の付近に配置されていて、ここではこの区域を上側のマスキングストリップにより良好に覆い隠すことができる。
【００１０】
しかしながら、被覆のない区域は、加熱層の電気特性を損ない、これは、少なくとも局所的に、加熱層を通して流れる熱電流の電流密度分布に影響を及ぼす。実際に、この区域は、熱出力が、被覆のない領域の下側及び周囲において明らかに低減されている著しく不均一な熱出力分布を引き起こす。他方で、特に高い電流密度を示す、熱出力が著しく高められている箇所（「ホットスポット」）も生じる。この結果、燃焼の危険を意味しかつウィンドガラスに大きな熱応力を負わせる極めて高い局所的ウィンドガラス温度が生じかねない。更に、それにより取付部材の接着箇所が剥がれかねない。
【００１１】
専門家らは、この問題を、加熱フィールド及び／又はブスバーの付形により、及び／又は第３のブスバーの取り付けにより取り除くことを試みた。
【００１２】
例えば、英国特許出願の英国特許出願公告第２３８１１７９号明細書（GB 2381179 A）からは、加熱層が、被覆されていない領域により互いに分離されている少なくとも２つのフィールド又は区域に区分けされている加熱可能なフロントウィンドガラスは公知である。被覆のない情報伝達ウインドウは、被覆の中央の区域に存在する。取り付けられた状態の上方のブスバーは、情報伝達ウインドウの３つの縁部（水平方向の下側縁部及び互いに平行に延びる２つの垂直方向の側縁部）の周囲に案内される。ブスバーの、両方の側縁部に沿って延びる区間は、両方の未被覆の領域を通過するように案内され、この区間は、中央の区域を両側にある領域から分離する。
【００１３】
国際特許出願の国際公開第２０１１／００６７４３号（WO 2011/006743 A1）からは、透明の基材上に、導電性被覆、２つの電気的ブスバー、少なくとも１つの局所的に区切られた、被覆により画定された領域及びその領域内の情報伝達ウインドウとしての被覆のない領域を備えた加熱可能なフロントウィンドガラスが公知である。この画定された領域は、被覆上の、等電位線に対して平行に延びる、少なくとも１つのオーム抵抗を介して接続された少なくとも２つの集電領域及び電気力線に対して平行に延びる少なくとも２つの電気絶縁分離線によって少なくとも部分的に区切られている。
【００１４】
欧州特許出願の欧州特許出願公開第２３３４１４１号明細書（EP 2 334 141 A1）からは、同様に、加熱可能な情報伝達ウインドウを備えた被覆されたウィンドガラスは公知である。情報伝達ウインドウの被覆のない領域内には、２つの極を備えた少なくとも１つの加熱導体が施されていて、この場合、第１の極は、導電性の透明の被覆と電気的に接続されていて、かつ第２の極は、上述の被覆又は集電バンドと電気的に接続されている。
【００１５】
国際特許出願の国際公開第２０１２／０３１９０７号（WO 2012/031907 A1）及び国際公開第２０１２／０３１９０８号（WO 2012/031908 A1）からは、同様に、電気的に加熱可能な被覆を備え、この被覆は、電源の両方の極と電気的に接続することが予定されている少なくとも２つの第１の電極と電気的に接続されているため、供給電圧の印加により加熱電流は両方の第１の電極の間に形成された加熱フィールドを介して流れる、透明のウィンドガラスは公知である。この場合、加熱フィールドは、情報伝達ウインドウとして少なくとも１つの被覆のない区域を備え、この被覆のない区域は、少なくとも部分的に加熱可能な被覆により形成される区域縁部により区切られる。このウィンドガラスは、更に、電源の一方の極と接続することが予定されている第２の電極を備える。この第２の電極は、少なくとも１つの、少なくとも部分的に被覆のない区域内に配置された配線部分及びこの配線部分と接続された１つ以上の接続部分を備える。この場合、接続部分は、それぞれ被覆のない区域から出発して区域縁部の縁部分を超えて延びる。縁部分は、加熱フィールドの部分により形成され、この部分は被覆のない区域と電源の他方の極と接続することが予定されている第１の電極との間に存在する。
【００１６】
一実施形態の場合に、配線部分は少なくとも２つの互いに分離された配線部からなり、この配線部は、それぞれ、加熱可能な被覆と電気的に接続されている連結アダプターを備える。この場合、両方の連結部分は、これらの連結部分が加熱可能な被覆により電気的に連結されているように配置されている。
【００１７】
更に、欧州特許の欧州特許第１１８３９１２号明細書（EP 1 183 912 B1）からは、透明の、加熱可能なウィンドガラスが公知であり、このウィンドガラスは、上側のブスバー及び下側のブスバーに加えて更に、情報伝達ウインドウの周囲の少なくとも１つの領域内に、単位面積当たり＜０．３５オーム（Ω／□）の電気抵抗を示す第３のブスバー又はバスバーを備える。
【００１８】
とりわけ、国際特許出願の国際公開第２０１０／１３６４００号（WO 2010/136400）からは、少なくとも１つの透明の電気絶縁性の基板、電気的出力を伝達するために２つの電気的な母線又はブスバーと接続されている少なくとも１つの大面積の導電性の透明の被覆、少なくとも１つの情報伝達ウインドウ並びに第３のブスバー又はバスバーを備える、透明の、加熱可能なウィンドガラスは公知である。
【００１９】
加熱可能なウィンドガラスのこの公知の構成は、既にそれ自体かなりの進歩がなされている。しかしながら、この公知の構成は、上述の、局所的な加熱の問題を、特に大きな情報伝達ウインドウ及び／又は黒色の縁部被覆又はマスキングの幾何学的に特に要求の高いデザインを示す加熱可能なウィンドガラスの場合に、満足するほど解決することができない。
【００２０】
しかしながら、自動車のフロントウィンドガラス後方の、カメラ、センサ及びアンテナの数は増え続ける。これらの機器の多くのために、透明の、導電性被覆を局所的に除去しなければならない。したがって、この情報伝達ウインドウは、絶え間なく大きくなり、かつその縁部は、もはや全体を、全面印刷で及び／又はドットスクリーンとして適用される黒色マスキングにより覆い隠すことはできない。それにより、第３のブスバー又は第３のバスバーは、少なくとも部分的に内側から及び外側から見える。したがって、第３のブスバーに、電気的な要求の他に、殊に色調に関して付加的な要求が課される。ここで、ＯＥＭ（Original Equipment Manufacturing）により、大抵はバスバー用に暗い色調が好まれる。それに対して、明るい銀色の外観は余り好まれない。しかしながら、暗い色調は、ペースト中の銀割合の低減を伴い、それと共に電気伝導率の低下を伴うため、暗い銀ペーストは、上側のブスバー又は下側のブスバーのために適していない。
【先行技術文献】
【特許文献】
【００２１】
【特許文献１】独国特許出願公開第１０２００８０１８１４７号明細書
【特許文献２】独国特許出願公開第１０２００８０２９９８６号明細書
【特許文献３】国際公開第００／７２６３号
【特許文献４】英国特許出願公告第２３８１１７９号明細書
【特許文献５】国際公開第２０１１／００６７４３号
【特許文献６】欧州特許出願公開第２３３４１４１号明細書
【特許文献７】国際公開第２０１２／０３１９０７号
【特許文献８】国際公開第２０１２／０３１９０８号
【特許文献９】欧州特許第１１８３９１２号明細書
【特許文献１０】国際公開第２０１０／１３６４００号
【発明の概要】
【発明が解決しようとする課題】
【００２２】
それに対して、本発明の課題は、公知の先行技術によるウィンドガラスを更に、透明のウィンドガラスが、その全体の加熱層にわたり少なくともほぼ均一な熱出力分布で加熱可能であり、かつ黒色の縁部被覆の新たな、幾何学的に特別要求の高いデザインにより及び／又は特に大きな情報伝達ウインドウにより引き起こされるホットスポットをもはや示さないように改良することにある。更に、少なくとも部分的に見える、マスキングにより覆い隠されない情報伝達ウインドウ及び第３のブスバーを備えた透明のウィンドガラスは、暗い銀ペーストの使用を許容するべきである。
【課題を解決するための手段】
【００２３】
この課題及び他の課題は、本発明の提案に従って、独立請求項の特徴を備えた透明のウィンドガラスにより解決される。本発明の好ましい実施態様は、従属請求項の特徴により示されている。
【００２４】
本発明によるウィンドガラスの好ましい実施態様の場合に、第１のウィンドガラスの、電気的に加熱可能な被覆が配置されている表面は、熱可塑性中間層を介して第２のウィンドガラスと面状に結合されている。
【００２５】
第１のウィンドガラス及び場合により第２のウィンドガラスとして、基本的に、本発明のウィンドガラスの製造及び使用の条件下で、熱的及び化学的に安定であり並びに寸法安定性である全ての絶縁性基材が適している。
【００２６】
第１のウィンドガラス及び／又は第２のウィンドガラスは、好ましくはガラス、特に好ましくは板ガラス、フロートガラス、石英ガラス、ホウケイ酸塩ガラス、石灰ソーダガラス、又は透明のプラスチック、好ましくは堅固な透明のプラスチック、殊にポリエチレン、ポリプロピレン、ポリカルボナート、ポリメチルメタクリラート、ポリスチレン、ポリアミド、ポリエステル、ポリ塩化ビニル及び／又はこれらの混合物を含む。第１のウィンドガラス及び／又は第２のウィンドガラスは、殊に車両のフロントウィンドガラス又はリアウィンドガラスとしてのウィンドガラスの使用のために、又は高い光透過性が望ましい他の使用のために、好ましくは透明である。本発明の意味範囲で、透明とは、可視スペクトル領域内で＞７０％の透過率を示すウィンドガラスであると解釈される。ドライバーの交通上重要な視野内に置かれないウィンドガラス、例えばルーフウィンドガラスについては、透過率は、かなり低くてもよく、例えば＞５％であってもよい。
【００２７】
本発明によるウィンドガラスの厚みは、広範囲に可変であり、かつ例えば、特別に個々の事例の要求に合わせることができる。好ましくは、車両ガラス用に１．０ｍｍ〜２５ｍｍ、好ましくは１．４ｍｍ〜２．５ｍｍ、及び好ましくは、家具、機器及び建物用に、殊に電気ヒータ用に、４ｍｍ〜２５ｍｍの標準厚みを示すウィンドガラスが使用される。ウィンドガラスの大きさは、広範囲に可変であり、かつ本発明による使用の大きさにより左右される。第１のウィンドガラス及び場合による第２のウィンドガラスは、例えば、車両製造及び建築分野においては、２００ｃｍ2〜２０ｍ2の通常の面積を示す。
【００２８】
本発明によるウィンドガラスは、任意の立体形状を示してよい。好ましくは、この立体形状は、ブラインドゾーンを含まないので、この立体形状は例えば陰極スパッタリングにより被覆することができる。好ましくは、この基材は平坦であるか又は空間の一方向に又は多方向に軽度に又は強く湾曲している。殊に平坦の基材が使用される。ウィンドガラスは、無色であっても又は着色されていてもよい。
【００２９】
複数のウィンドガラスは、少なくとも１つの中間層によって互いに結合されている。中間層は、好ましくは、少なくとも１種の熱可塑性プラスチック、好ましくは、ポリビニルブチラール（ＰＶＢ）、エチレンビニルアセタート（ＥＶＡ）及び／又はポリエチレンテレフタラート（ＰＥＴ）を含む。しかしながら、熱可塑性中間層は、例えばポリウレタン（ＰＵ）、ポリプロピレン（ＰＰ）、ポリアクリラート、ポリエチレン（ＰＥ）、ポリカルボナート（ＰＣ）、ポリメチルメタクリラート、ポリ塩化ビニル、ポリアセタート樹脂、注型樹脂、フッ化エチレン−プロピレン共重合体、ポリフッ化ビニル及び／又はエチレン−テトラフルオロエチレン共重合体、又はこれらのコポリマー又はこれらの混合物を含んでいてもよい。この熱可塑性中間層は、１つの熱可塑性シートにより又は重ねて配置された複数の熱可塑性シートにより形成されていてよく、この場合、熱可塑性シートの厚みは、好ましくは０．２５ｍｍ〜１ｍｍ、一般には０．３８ｍｍ又は０．７６ｍｍである。
【００３０】
第１のウィンドガラス、中間層及び第２のウィンドガラスからなる本発明による合わせガラスの場合には、電気的に加熱可能な被覆は、第１のウィンドガラスに直接施されているか又はキャリアシート又は中間層自体に施されていてよい。第１のウィンドガラス及び第２のウィンドガラスは、それぞれ内側表面及び外側表面を有する。第１のウィンドガラスの内側表面と第２のウィンドガラスの内側表面とは互いに向かい合っていて、熱可塑性中間層によって互いに結合されている。第１のウィンドガラスの外側表面と第２のウィンドガラスの外側表面とは互いにかつ熱可塑性中間層とは反対側にある。導電性被覆は、第１のウィンドガラスの内側表面に施されている。もちろん、第２のウィンドガラスの内側表面に別の導電性被覆が施されていてもよい。ウィンドガラスの外側表面は被覆を備えていてもよい。「第１のウィンドガラス」及び「第２のウィンドガラス」の概念は、本発明の合わせガラスの場合に両方のウィンドガラスを区別するために選択されている。幾何学的な配置に関する表現は、この概念と結びついてない。本発明によるウィンドガラスが、例えば車両又は建物の開口部内で、室内を外部環境に対して仕切ることが予定されている場合には、第１のウィンドガラスは、室内に、又は外部環境に向いていてよい。
【００３１】
本発明による透明のウィンドガラスは、導電性の加熱可能な透明の被覆を備え、この被覆は、少なくともウィンドガラス面の本質的な部分に、殊にその視野領域に及ぶ。導電性被覆は、電源の両方の極と電気的に接続することが予定されている少なくとも２つの、殊に２つのブスバーと、供給電圧の印加により加熱電流が両方のブスバーの間に形成された加熱フィールドを介して流れるように電気的に接続されている。一般に、両方のブスバーは、導電性被覆内へ電流を導入するため及び広く分配するために、それぞれ、ストリップ状又はバンド状の電極又は母線又はバスバーの形に形成されている。この目的のために、ブスバーは、加熱層と電気的に接続されている。
【００３２】
少なくとも１つのブスバー、殊に、両方のブスバーの一方のブスバー、好ましくは透明のウィンドガラスの取り付けられた状態で上側のブスバーは、少なくとも２つの、殊に２つの互いに分離された部分領域に細分化されていてよい。しかしながら、本発明の場合に、両方のブスバーは、連続して、つまり２つの互いに分離された部分領域に細分化されずに形成されている場合が好ましい。
【００３３】
好ましい実施態様の場合に、ブスバーは、スクリーン印刷により印刷され、かつその後に焼き付けられた導電性構造体として形成されている。印刷されたブスバーは、好ましくは少なくとも１種の金属、金属合金、金属化合物及び／又は炭素、特に好ましくは貴金属、殊に銀を含む。ブスバーの製造のための印刷ペーストは、好ましくは金属粒子及び／又は炭素、及び殊に貴金属粒子、例えば銀粒子を含む。この電気伝導率は、好ましくは導電性粒子により達成される。粒子は、有機及び／又は無機の母材中に、例えばペースト又はインキ中に存在してよく、好ましくはガラスフリットを含む印刷ペーストとして存在してよい。
【００３４】
印刷されたブスバーの層厚は、好ましくは５μｍ〜４０μｍ、特に好ましくは８μｍ〜２０μｍ、更に特に好ましくは８μｍ〜１２μｍである。この厚みを示す印刷されたブスバーは、工業的に簡単に実現でき、かつ好ましい電流容量を示す。
【００３５】
ブスバーの比抵抗ρaは、好ましくは０．８μオーム・ｃｍ〜７．０μオーム・ｃｍ、特に好ましくは１．０μオーム・ｃｍ〜２．５μオーム・ｃｍである。この範囲の比抵抗を示すブスバーは、工業的に簡単に実現でき、かつ好ましい電流容量を示す。
【００３６】
電気的要求に基づいて、特に好ましくは、高い銀含有率を示す明るい銀色のブスバーが使用される。ブスバーの製造のために、更に特に好ましくは、高い銀割合を含むスクリーン印刷ペーストが使用される。殊に、銀含有率は、銀ペーストの全体量を基準としてそれぞれ７０〜９０質量％、好ましくは７５〜８５質量％である。
【００３７】
その代わりに、ブスバーは、導電性の箔の１つのストリップとして又は部分領域に細分化されたブスバーの場合には、少なくとも２つの、殊に２つのストリップとして形成されていてもよい。ブスバーは、例えば、少なくともアルミニウム、銅、スズめっきされた銅、金、銀、亜鉛、タングステン及び／又はスズ又はこれらの合金を含む。このストリップは、好ましくは１０μｍ〜５００μｍ、特に好ましくは３０μｍ〜３００μｍの厚みを示す。この厚みを示す導電性の箔からなるブスバーは、工業的に簡単に実現でき、かつ好ましい電流容量を示す。このストリップは、導電性構造体と、例えばはんだ材料、導電性接着剤又は直接載置により導電性に接続することができる。
【００３８】
本発明によるウィンドガラスの導電性被覆は、加熱フィールド、つまり両方のブスバーの間に存在するため、加熱電流を導くことができる導電性被覆の加熱可能な部分と、上述の加熱フィールドの外側の領域とに区分することができる。
【００３９】
電気的に加熱可能な被覆は、例えば独国実用新案第２０２００８０１７６１１号明細書（DE 20 2008 017 611 U1）、欧州特許第０８４７９６５号明細書（EP 0 847 965 B1）又は国際公開第２０１２／０５２３１５号（WO 2012/052315 A1）から公知である。この被覆は、一般に１つ又は複数の機能層、例えば２つ、３つ又は４つの導電性の機能層を含む。これらの機能層は、好ましくは少なくとも１種の金属、例えば銀、金、銅、ニッケル及び又はクロム、又は金属合金を含む。これらの機能層は、特に好ましくは金属を少なくとも９０質量％、殊に金属を少なくとも９９．９質量％含む。これらの機能層は、金属又は金属合金からなっていてよい。これらの機能層は、特に好ましくは、銀又は銀含有合金を含む。このような機能層は、特に好ましい電気伝導率を示すと同時に可視スペクトル領域において高い透過率を示す。機能層の厚みは、好ましくは５ｎｍ〜５０ｎｍ、特に好ましくは８ｎｍ〜２５ｎｍである。機能層の厚みについてのこの範囲内で、好ましくは、可視スペクトル領域内で高い透過率及び特に好ましい電気伝導率が達成される。
【００４０】
一般に、導電性被覆のそれぞれ２つの隣り合う機能層の間に少なくとも１つの誘電性の層が配置されている。好ましくは、第１の機能層の下側に及び／又は最後の機能層の上側に、更なる誘電性の層が配置されている。誘電性の層は、誘電性材料、例えば窒化ケイ素のような窒化物又は酸化アルミニウムのような酸化物からなる少なくとも１つの個別層を含む。しかしながら、この誘電性の層は、複数の個別層、例えば誘電性材料の個別層、平滑層、適合層、遮断層及び／又は反射防止層を含んでいてよい。誘電性の層の厚みは、例えば１０ｎｍ〜２００ｎｍである。
【００４１】
この層構造は、一般に、磁場支援型陰極スパッタリングのような真空法により実施される堆積プロセスの結果により得られる。
【００４２】
別の適切な導電性被覆は、好ましくは酸化インジウムスズ（ＩＴＯ）、フッ素ドープ酸化スズ（ＳｎＯ2：Ｆ）又はアルミニウムドープ酸化亜鉛（ＺｎＯ：Ａｌ）を含む。
【００４３】
導電性被覆は、原則として、電気的に接続される全ての被覆であってよい。本発明によるウィンドガラスが、例えば窓領域におけるウィンドガラスの場合のように、見通しを可能にすべき場合には、導電性被覆は、好ましくは透明である。導電性被覆は、好ましくは電磁波に対して、特に好ましくは３００〜１３００ｎｍの波長の電磁波に対して、殊に可視光に対して透過性である。
【００４４】
好ましい実施態様の場合に、導電性被覆は、２μｍ以下、特に好ましくは１μｍ以下の全体の厚みを示す複数の個別層の層又は層構造体である。
【００４５】
好ましい導電性被覆は、０．４Ω／□〜１０Ω／□のシート抵抗を示す。特に好ましい実施態様の場合に、本発明による導電性被覆は、０．５Ω／□〜１Ω／□のシート抵抗を示す。この種のシート抵抗を示す被覆は、１２Ｖ〜４８ボルトの一般的な電源電圧での、又は５００Ｖまでの一般的な電源電圧を示す電気自動車の場合での、車両ウィンドガラスの加熱のために特に適している。
【００４６】
導電性被覆は、第１のウィンドガラスの全体の表面に及んでいてよい。導電性被覆は、その代わりに、第１のウィンドガラスの表面の一部だけに及んでいてもよい。導電性被覆は、好ましくは、第１のウィンドガラスの内側表面の少なくとも５０％、特に好ましくは少なくとも７０％、更に特に好ましくは少なくとも９０％に及んでいる。
【００４７】
合わせガラスとしての本発明による透明のウィンドガラスの好ましい実施態様の場合に、第１のウィンドガラスの内側表面は、導電性被覆を備えていない、２ｍｍ〜５０ｍｍ、好ましくは５ｍｍ〜２０ｍｍの幅ｒを示す周縁領域を有する。それにより、導電性被覆は、環境に対して接触を示さず、かつウィンドガラスの内側内で熱可塑性中間層によって、好ましくは損傷及び腐食から保護されている。
【００４８】
本発明による透明のウィンドガラス内で、加熱フィールドは、導電性被覆が存在していない少なくとも１つの被覆のない区域を備える。被覆のない区域は、少なくとも部分的に導電性被覆により形成された区域縁部により区切られる。
【００４９】
殊に、被覆のない区域は、導電性被覆により完全に形成される、区域周縁部を提供する。
【００５０】
しかしながら、この区域縁部は、導電性被覆の被覆周縁部に移行していてもよいため、被覆のない区域は、本発明による透明のウィンドガラスの、ウィンドガラス縁部を取り囲む被覆のない縁部ストリップと直接接続されている。
【００５１】
被覆のない区域は、多様な輪郭を有していてよい。例えば、この輪郭は、場合により丸められた角及び／又は湾曲した辺を有する正方形、長方形、台形、三角形、五角形、六角形、七角形又は八角形、並びに円形、長円形、しずく形又は楕円形であってよい。輪郭線は、直線形、波形、ジグザグ形及び／又は鋸歯形の延びを示してよい。この幾何学的特徴の多くは、同一の被覆のない区域で実現されていてよい。
【００５２】
殊に、被覆のない区域は、電磁波、殊に赤外線、レーダー波及び／又は無線電波に対して透過性である情報伝達ウインドウとして用いられる。更に、情報伝達ウインドウ内に、センサ、例えば感雨センサが配置されていてよい。
【００５３】
被覆のない区域は、電気的に加熱可能な被覆を施した後に、例えば基材上に加熱層を施す際にマスキングすることにより、又は加熱層の除去により、例えば機械的及び／又は化学的な取り去り、及び／又は電磁波の照射による、殊にレーザービーム照射による取り去りにより製造することができる。
【００５４】
好ましい実施形態の場合に、少なくとも１つの、殊に１つの第２の被覆のない区域が存在する。
【００５５】
好ましくは、この少なくとも１つの第２の被覆のない区域は、本発明による透明のウィンドガラスの取り付けられた状態で、少なくとも１つの第１の被覆のない区域の上側に配置されている。
【００５６】
好ましくは、少なくとも１つの第２の被覆のない区域は、先に記載した輪郭及び輪郭線を示す。
【００５７】
好ましくは、少なくとも１つの第２の被覆のない区域は、少なくとも１つの第１の被覆のない区域よりも小さな面積を示す。
【００５８】
好ましくは、少なくとも１つの第２の被覆のない区域は、透明のウィンドガラスの取り付けられた状態で、ウィンドガラスの上側の領域に配置されている。
【００５９】
本発明の提案によると、本発明による透明のウィンドガラスは、本質的には、透明のウィンドガラスが、電源の一方の極と電気的に接続することが予定されている、少なくとも１つ、殊に１つの補助電極、第３のブスバー又は第３のバスバーを備え、この補助電極、第３のブスバー又は第３のバスバーは、少なくとも部分的に、殊に電極部分でだけ、被覆のない区域内に又は好ましくは電気加熱可能な被覆の加熱フィールド内に及び／又は加熱フィールド上に配置されていて、かつ導電性被覆と、供給電圧を印加する際に、加熱電流の一部が、加熱フィールドの加熱フィールド部分を介して流れるように電気的に接続されていて、この加熱フィールド部分は、補助電極又は被覆のない区域と、電源の他方の極と接続することが予定されているブスバーとの間に存在することを特徴とする。
【００６０】
したがって、少なくとも１つの補助電極又は第３のバスバーは、導電性被覆の加熱フィールドを介してブスバーと電気的に接続されているだけである。
【００６１】
好ましくは、少なくとも１つの補助電極は、少なくとも１つの被覆のない区域を完全に又は部分的に取り囲む。
【００６２】
補助電極の少なくとも１つ又は１つの補助電極は、少なくとも２つ、殊に２つの相互に分離された部分領域に細分化されていてよい。しかしながら、本発明の場合に、少なくとも１つの補助電極又は１つの補助電極は、連続して、つまり部分領域に細分化されないように形成されている場合が好ましい。
【００６３】
好ましくは、少なくとも１つの補助電極又は補助電極の少なくとも２つの互いに分離された部分領域は、少なくとも１つの被覆のない区域の区域縁部に沿って延びている。「沿って」とは、補助電極又は補助電極の互いに分離された部分領域が、下側の区域縁部に対してほぼ平行に又は正確に平行に延びることを意味する。
【００６４】
補助電極又は補助電極の少なくとも２つの互いに分離された部分領域が、被覆のない区域内で、加熱フィールドの区域縁部と補助電極又は補助電極の部分領域との間の面が、まだ被覆がないように配置されている場合、補助電極と加熱フィールド部分との電気的な接続は、少なくとも２つの、好ましくは少なくとも３つの、好ましくは少なくとも４つの及び殊に少なくとも５つの接続部分を用いて実行される。補助電極が、少なくとも２つ、殊に２つの、互いに分離された部分領域に細分化されている場合、少なくとも１つの部分領域又は殊に全ての部分領域は、少なくとも２つ、好ましくは少なくとも３つ、特に少なくとも４つ、及び殊に少なくとも５つの接続部分を備えている。
【００６５】
接続部分は、幅よりも長さが長い、真っ直ぐな又は湾曲を示すストリップの形を示してよい。
【００６６】
しかしながら、接続部分が、例えば波形、ジグザグ形、鋸歯形、又はメアンダ形に延びているために、加熱フィールドに部分的に接触している場合、この接続部分は、補助電極又はその部分領域の突出部及び／又はリード部によって形成されていてもよい。
【００６７】
接続部分は、補助電極又は補助電極の互いに分離された部分領域から、加熱フィールドの、補助電極又はその部分領域と、電気的に反対に荷電されたブスバーとの間の、殊に本発明による透明のウィンドガラスの取り付けられた状態で下側のブスバーとの間の加熱フィールド部分内へ延びている。
【００６８】
好ましくは、補助電極の、電源の両方の極との電気的な接続は、加熱フィールドを介して、かつ両方のブスバーを介して、殊に本発明によるウィンドガラスの取り付けられた状態で上側及び下側のブスバーを介して行われる。
【００６９】
より詳しくいうと、一方で、補助電極又は補助電極の部分領域の長さにより、電位は、殊に加熱フィールドに対する結合箇所で、できる限り多くの電流が補助電極又は補助電極の部分領域を介して流れるように調節される。他方で、ホットスポットの形成を避けるために、補助電極又は補助電極の部分領域及びその直接の周囲が過熱されない程の大きさの電流だけが流れることが許容される。例えば、補助電極の電位又は電気抵抗を、その幅に関して相応して適合させることができる。
【００７０】
好ましくは、補助電極は、厚み０．５〜２μｍ、好ましくは０．５〜１μｍ、及び幅１〜５μｍ、好ましくは１〜３μｍである。この長さは、第１に、所属する被覆のない区域の周囲長さにより左右される。
【００７１】
全体として、ブスバー及び補助電極の本発明による配置により、熱出力のほぼ均一な分配を引き起こし、かつより低下された熱出力又は高められた熱出力（ホットスポット）を示す位置の形成は効果的に抑制される。
【００７２】
補助電極の部分領域は、本発明による透明のウィンドガラスの被覆のない区域の範囲内に延びていてよいため、この部分領域のすぐ近くの氷及び／又は凝縮した水からの残留物の形成を低減することができる。
【００７３】
本発明によるウィンドガラスの好ましい実施形態の場合に、ブスバーは、銀ペーストの全体量を基準としてそれぞれ７０〜９０質量％、殊に７５〜８５質量％の銀含有率を示す明るい銀ペーストを用いて製造される。このような明るい銀ペーストは、ＯＥＭにより課せられた電気的要求を全面的に満たす。
【００７４】
しかしながら、少なくとも部分的に、内側から及び外側から見える補助電極は、この補助電極に課せられた電気的要求を満たすだけでなく、ＯＥＭにより課せられた色調的な要求も満たす。
【００７５】
本発明の場合に、これは、スクリーン印刷により印刷されかつその後で焼き付けられた暗い銀ペーストを用いて、つまり、比較的低い銀含有率を示す、殊にブスバー用の銀ペーストの銀含有率よりも明らかに低い銀含有率を示す銀ペーストを用いて実現される。
【００７６】
好ましくは、暗い銀ペーストの銀含有率は、銀ペーストの全体量を基準としてそれぞれ、５０〜＜７０質量％、殊に６０〜＜７０質量％である。
【００７７】
本発明の場合に、異なる銀含有率のために、補助電極の電気伝導率は、ブスバーの電気伝導率よりも低い。好ましくは、補助電極の電気伝導率は、ブスバーの電気伝導率の０．０５〜０．３倍、殊に０．１〜０．２倍である。
【００７８】
ブスバー及び／又はブスバーの部分領域は、１つ以上の配線により電気的に接続される。
【００７９】
配線は、好ましくは、柔軟なシート状導体又はフラット型導体又はフラットバンド型導体として形成されている。これらは、幅が厚みよりも明らかに大きい電気伝導体であると解釈される。このようなフラット型導体は、例えば、銅、スズめっきされた銅、アルミニウム、銀、金又はこれらの合金を含むか又はこれらからなるストリップ又はバンドである。このフラット型導体は、例えば２ｍｍ〜１６ｍｍの幅及び０．０３ｍｍ〜０．１ｍｍの厚みを示す。このフラット型導体は、絶縁性の、好ましくはポリマーの、例えばポリイミドを基礎とするジャケットを備えていてよい。ウィンドガラス内の導電性被覆の接触のために適しているフラット型導体は、例えば０．３ｍｍの全体の厚みを示すだけである。この種の薄いフラット型導体は、個々のウィンドガラスの間で熱可塑性中間層内に難なく埋め込むことができる。フラット型導体バンド内には、複数の互いに絶縁された導電層が存在してもよい。
【００８０】
その代わりに、細い金属ワイヤを電気配線として使用してもよい。金属ワイヤは、殊に銅、タングステン、金、銀又はアルミニウム又はこれらの金属の少なくとも２種の合金を含む。合金は、モリブデン、レニウム、オスミウム、イリジウム、パラジウム又は白金を含んでいてもよい。
【００８１】
本発明による透明のウィンドガラスの好ましい実施形態の場合には、少なくとも２つ、殊に２つの各々のブスバーは、それぞれ１つのフラット型導体によって、電源の極と導電性に接続されている。
【００８２】
別の好ましい実施形態の場合に、少なくとも１つ、殊に１つのブスバーの少なくとも２つ、殊に２つの部分領域は、それぞれ１つの、電源に接続したフラット型導体と導電性に接続されている。好ましくは、このフラット型導体は、ウィンドガラス縁部のそれぞれ所属する第２の辺の付近にある部分領域の範囲に配置されている。
【００８３】
更に別の好ましい実施形態の場合に、少なくとも１つ、殊に１つのブスバーの少なくとも２つ、殊に２つの部分領域は、１つのフラット型導体と導電性に接続されている。好ましくは、この実施形態の場合に、フラット型導体は、部分領域の互いに対峙する端部の間の中央に配置されている。好ましくは、これは、１つの共通の導電性接続部により、又はそれぞれの部分領域に所属する２つの導電性接続部により実現される。このフラット型導体は、導電性接続部と、平坦な金属ストリップ、特に銅ストリップによって接続されていてよい。
【００８４】
この場合、フラット型導体と接続部との間の絶縁は、フラット型導体と接続部との間の絶縁層によって、殊にストリップ状の絶縁層によって実現される。この絶縁層は、部分領域の互いに対峙する両方の端部に当接していてもよい。
【００８５】
この配置の本質的な利点は、ブスバーの２つの部分領域の給電のために，ただ一つのフラット型導体を必要とするだけであり、このことは本発明による透明のウィンドガラスの製造を本質的に簡素化する。
【００８６】
本発明による透明のウィンドガラスにおいて、ブスバー及び１つの又は複数のフラット型導体が配置されている領域は、通常のかつ公知の、不透明の又は透視されないマスキングストリップにより視覚的に覆い隠されている。好ましくは、マスキングストリップは黒色に着色されている。好ましくは、マスキングストリップの前駆体を、スクリーン印刷によりまだ未被覆のウィンドガラスに施し、その後で施された層を焼き付ける。
【００８７】
更に、少なくとも１つの第１の被覆のない区域の部分領域及びこの部分領域に所属する少なくとも１つの補助電極は、マスキングストリップにより覆い隠されておらず、内側から及び外側から見える。
【００８８】
本発明によるウィンドガラスは、通常のかつ公知の方法で製造することができる。好ましくは、このウィンドガラスは、本発明による方法により製造される。
【００８９】
本発明による方法は、次の方法工程を含む：
（Ａ）  導電性被覆を製造すること；
（Ｂ）  この導電性被覆内でかつ加熱フィールド内に、少なくとも１つの被覆のない区域又は少なくとも２つの被覆のない区域を製造すること；
（Ｃ）  導電性被覆と電気的に接続されていることで、供給電圧の印加により加熱電流が両方のブスバーの間に存在する加熱フィールドを介して流れる、電源の両方の極と接続された少なくとも２つの、殊に２つのブスバーを形成すること、及び／又は
（Ｄ）  この加熱フィールドを介して少なくとも２つのブスバーと電気的に接続することが予定されている、少なくとも１つの被覆のない区域を少なくとも部分的に取り囲む少なくとも１つの補助電極を製造すること、ここで、
（Ｅ）  方法工程（Ｃ）及び（Ｄ）は、好ましくは順番に又は同時に、殊に同時に実施され、
ここで、ブスバーの電気伝導率は、補助電極の電気伝導率よりも大きい。
【００９０】
本発明による方法の特に好ましい実施形態の場合に、方法工程Ｃ及びＤは同時に実施される。好ましくは、この場合に、スクリーン印刷法が使用される。
【００９１】
本発明による方法の更に特に好ましい実施形態の場合に、方法工程Ｃについて、明るい銀ペーストの全体量を基準としてそれぞれ７０〜９０質量％、殊に７５〜８５質量％の銀含有率の明るい銀ペーストを使用する。
【００９２】
それに対して、方法工程Ｄについて、暗い銀ペーストの全体量を基準としてそれぞれ５０〜＜７０質量％、殊に６０〜＜７０質量％の銀含有率の暗い銀ペーストを使用する。
【００９３】
殊に、方法工程Ｃ及びＤは、生じる暗い補助電極の電気伝導率が、ブスバーの電気伝導率の０．０５〜０．３倍、殊に０．１〜０．２倍であるように実施される。
【００９４】
色の輝度は、通常のEN ISO 11664-4によるＬ*ａ*ｂ*色空間（分野  表色、タイトル  表色−  ４部：CIE 1976 Ｌ*ａ*ｂ*色空間）で述べられ、ここで、Ｌ*は、色の輝度（Luminanz）を０〜１００の値で示す。
【００９５】
本発明の別の態様は、少なくとも２つのブスバーが、Ｌ*＞６５、好ましくは＞８０の明るい銀色の色調を示し、かつ少なくとも１つの補助電極が、Ｌ*≦６５、好ましくは＜５０の暗い色調を示す透明のウィンドガラスに関する。
【００９６】
詳細には、方法工程Ａにおいて導電性被覆を施すことは、自体公知の方法により、好ましくは磁場支援型陰極スパッタリングによって行うことができる。本発明によるウィンドガラスが合わせガラスとして仕上げられている場合に、これは、第１のウィンドガラスの簡単で、迅速で、低コストでかつ均一な被覆の観点で特に好ましい。しかしながら、加熱可能な導電性被覆を、例えば蒸着、化学気相堆積（chemical vapour deposition、CVD）、プラズマ支援型気相堆積（ＰＥＣＶＤ）又は湿式化学法により施してもよい。
【００９７】
第１のウィンドガラスは、方法工程Ａの後で温度処理に供してよい。この場合、導電性被覆を備えた第１のウィンドガラスは、少なくとも２００℃、好ましくは少なくとも３００℃の温度に温められる。この温度処理は、導電性被覆の透過率の向上及び／又はシート抵抗の低減のために用いることができる。
【００９８】
第１のウィンドガラスを、方法工程Ａの後に、一般に５００℃〜７００℃の温度で曲げることができる。平坦なウィンドガラスを被覆することが技術的により簡単であるため、この措置は、第１のウィンドガラスが曲げられるべき場合に好ましい。その代わりに、例えば、導電性被覆が、曲げプロセスを損傷なしで克服するために適していない場合には、第１のウィンドガラスを、方法工程Ａの前に曲げることもできる。
【００９９】
方法工程Ｃにおいてブスバーを施すこと及び方法工程Ｄにおいて補助電極を施すことは、好ましくは、スクリーン印刷法での銀ペーストの印刷及び焼き付けにより行われる。その代わりに、ブスバー及び電流供給ラインを、導電性シートのストリップとして導電性被覆上に施し、好ましくは載置、ハンダ付け又は接着することができる。
【０１００】
本発明による方法の特に好ましい実施形態の場合に、仕上げ工程ＣＤにおいてスクリーン印刷法を実施する。この場合、スクリーン中に２種の異なる銀ペーストが存在する。スクリーン内での空間的分離は、相応する画定により行われる。
【０１０１】
スクリーン印刷法の場合に、側面方向の付形を織物のマスキングにより行い、この織物を通して金属粒子を含む印刷ペーストを印刷する。マスキングの適切な付形により、例えばブスバー及び補助電極の幅を特に簡単に設定しかつ変更することができる。
【０１０２】
被覆のない区域は、方法工程Ｂにおいて、好ましくは方法工程Ａにおいて製造された加熱可能な被覆の機械的な取り去りにより製造される。機械的な取り去りは、適切な化学薬品による処理及び／又は電磁放射線の照射に置き換えるか又は適切な化学薬品による処理及び／又は電磁放射線の照射により補うこともできる。
【０１０３】
本発明による方法の好ましい態様は、少なくとも次の更なる工程を含む：
−  第１のウィンドガラスの被覆された表面に熱可塑性中間層を配置し、かつこの熱可塑性中間層に第２のウィンドガラスを配置すること及び
−  第１のウィンドガラスと第２のウィンドガラスとを熱可塑性中間層を介して結合すること。
【０１０４】
これらの方法工程において、第１のウィンドガラスは、加熱可能な被覆が設けられている第１のウィンドガラスの表面が、熱可塑性中間層の側に向くように配置されている。この表面は、それにより第１のウィンドガラスの内側表面になる。
【０１０５】
熱可塑性中間層は、単独の熱可塑性シート又は面状に重なって配置される２つ以上の熱可塑性シートにより形成されていてもよい。
【０１０６】
第１のウィンドガラスと第２のウィンドガラスとの結合は、好ましくは、熱、真空及び／又は圧力の作用下で行われる。ウィンドガラスの製造のための自体公知の方法を使用することができる。
【０１０７】
例えば、いわゆるオートクレーブ法を、約１０ｂａｒ〜１５ｂａｒの高めた圧力でかつ１３０℃〜１４５℃の温度で、約２時間にわたり実施することができる。自体公知の真空バッグ法又は真空リング法は、例えば約２００ｍｂａｒ及び８０℃〜１１０℃で作業される。第１のウィンドガラス、熱可塑性中間層及び第２のウィンドガラスを、カレンダー中で、少なくとも一対のローラの間で圧縮して１枚のウィンドガラスにすることもできる。この種の装置は、ウィンドガラスの製造のために公知であり、かつ通常では圧縮工具の前に少なくとも１つの加熱トンネルを備えている。圧縮プロセスの間の温度は、例えば４０℃〜１５０℃である。カレンダー法とオートクレーブ法との組み合わせが、実際に特に好ましいことが判明した。その代わりに、真空ラミネーターを用いることができる。この真空ラミネーターは、１つ以上の加熱可能でかつ排気可能なチャンバからなり、このチャンバ内で第１のウィンドガラスと第２のウィンドガラスとを、例えば約６０分の間に、０．０１ｍｂａｒ〜８００ｍｂａｒの減圧下で、８０℃〜１７０℃の温度で貼り合わせる。
【０１０８】
本発明による透明のウィンドガラス、殊に本発明による方法を用いて製造された本発明による透明のウィンドガラスは、家具、機器及び建物内の並びに陸上、空中又は水上での移動のための移動手段内の、殊に自動車内の、機能的な及び／又は装飾的な個別部材として、及び／又は取付部材として、例えばフロントウィンドガラス、リアウィンドガラス、サイドウィンドガラス及び／又は天窓として特に使用することができる。好ましくは、本発明による透明のウィンドガラスは、自動車用フロントウィンドガラス又は自動車用サイドウィンドガラスとして形成されている。
【０１０９】
上述の及び後述の詳説される特徴は、挙げられた組み合わせ及び構成で使用可能であるだけでなく、本発明の範囲を超えることなく、他の組み合わせ及び構成で、又は単独でも使用可能であると解釈される。
【０１１０】
本発明を、添付図面に関連づけて、実施例に基づいて詳細に説明する。これらは、簡素化され、寸法通りではない図で示される。
【図面の簡単な説明】
【０１１１】
【図１】本発明によるフロントウィンドガラスの例示的実施態様の平面図。
【図２】図１による本発明によるフロントウィンドガラスの垂直方向の部分断面図。
【図３】図１によるフロントウィンドガラスの遠近法による部分断面図。
【図４】本発明によるフロントウィンドガラスの第２の例示的実施態様の平面図。
【図５】本発明によるフロントウィンドガラスの第３の例示的実施態様の平面図。
【図６】本発明によるフロントウィンドガラスの第４の例示的実施態様の平面図。
【０１１２】
図１〜６において、符号は次の意味を示す：
１  フロントウィンドガラス
２  外側ウィンドガラス
３  内側ウィンドガラス
４  接着層
５  ウィンドガラス縁部
６、６′  第１の辺
７、７′  第２の辺
８  導電性被覆
８′  加熱フィールド１２の外の導電性被覆８の部分領域
９  被覆のない周縁ストリップ
１０  被覆縁部
１１、１１′  ブスバー
１２  加熱フィールド
１３  マスキングストリップ
１３′  マスキングストリップの縁部
１４  第１の被覆のない区域
１４′  第２の被覆のない区域
１４″  第３の被覆のない区域
１５、１５′、１５″  第１の被覆のない区域１４を少なくとも部分的に取り囲む補助電極
１６  導電性被覆８により形成された、第１の被覆のない区域１４の区域縁部
【発明を実施するための形態】
【０１１３】
図１は、内側から見た、自動車の透明のフロントウィンドガラス１を示す。フロントウィンドガラス１は、ここでは例えば、合わせガラスとして形成されていて、この合わせガラスの構造は、図２においてフロントウィンドガラス１の垂直方向の部分断面図を用いて及び図３においてフロントウィンドガラス１の遠近法による部分断面図を用いて具体的に説明される。
【０１１４】
それにより、フロントウィンドガラス１は、２つの堅固な個別ウィンドガラス、つまり外側ウィンドガラス２と内側ウィンドガラス３とを備え、これらのウィンドガラスは、熱可塑性接着層４、ここでは例えばポリビニルブチラールシート（ＰＶＢ）、エチレン−ビニルアセタートシート（ＥＶＡ）又はポリウレタンシート（ＰＵ）によって、互いに接着結合されている。両方の個別ウィンドガラス２、３は、ほぼ同じ大きさ及び形状であり、かつ例えば台形の湾曲した輪郭を示すことができ、このことは図面に示唆される。これらの個別ウィンドガラスはガラスにより仕上げられていて、また、個別ウィンドガラスはプラスチックのようなガラス質でない材料から構成されていてもよい。フロントウィンドガラスとは別の用途のために、両方の個別ウィンドガラス２、３は、柔軟な材料から製造されていてもよい。フロントウィンドガラス１の輪郭は、この両方の個別ウィンドガラス２、３に共通のウィンドガラス縁部５により生じ、この場合、フロントウィンドガラス１は、上側及び下側の、互いに対峙している２つの第１の辺６、６′並びに左側及び右側の、互いに対峙している２つの第２の辺７、７′を備える。
【０１１５】
図２及び３に示されているように、内側ウィンドガラス３の、接着層４で結合された面に、透明の導電性被覆８が堆積されている。この加熱可能な導電性被覆８は、ここでは例えば、内側ウィンドガラス３のほぼ全面に施されていて、この場合、全ての辺の周縁ストリップ９は被覆されていないため、導電性被覆８の被覆縁部１０は、ウィンドガラス縁部５と比べて内側方向にずれている。それにより、外部への導電性被覆８の絶縁が生じる。更に、導電性被覆８は、ウィンドガラス縁部５から拡がる腐食に対して保護されている。
【０１１６】
導電性被覆８は、公知のように、少なくとも１つの電気的に加熱可能な、金属部分層、好ましくは銀の部分層と、場合により他の部分層、例えば反射防止層及び遮断層とを備える図示されていない層系を含む。好ましくは、この層系は、熱に対して著しく耐えることができるため、この層系はウィンドガラスを曲げるために必要な一般に６００℃を超える温度を損傷なく克服するが、熱に対して余り耐えることができない層系が予定されていてもよい。導電性被覆８は、同様に金属の個別層として施されていてよい。同様に、導電性被覆８は、内側ウィンドガラス３に直接施されず、まず支持体、例えばプラスチックシートに施され、これを引き続き外側及び内側ウィンドガラス２、３に接着することも考えられる。その代わりに、支持体シートを接着シート（例えばＰＶＢシート）と結合し、三層構成（Trilayer）として内側及び外側ウィンドガラス２、３と接着してもよい。加熱可能な導電性被覆８は、好ましくはスパッタリング又はマグネトロン陰極スパッタリングにより、内側又は外側ウィンドガラス２、３に施される。
【０１１７】
図１に示されているように、導電性被覆８は、第１の辺６、６′、つまり上側及び下側のウィンドガラス縁部５に隣接して、バンド状の上側のブスバー又はバスバー１１及びバンド状の下側のブスバー１１′と導電性に接続されていて、かつこの目的で、両方のブスバー１１、１１′は、例えば電気的に連結される。上側のブスバー１１は、図示されていない電源の一方の極と接続することが予定されている。下側のブスバー１１′は、図示されていない電源の反対の極と接続することが予定されている。対立する極性の両方のブスバー１１、１１′は、このブスバーの間に存在する、加熱可能な被覆８の加熱フィールド１２内へ加熱電流を均一に導入しかつ分配するために用いられる。この両方のブスバー１１、１１′は、例えば導電性被覆８上に印刷され、かつそれぞれ少なくともほぼ直線形の延びを示す。
【０１１８】
上側のブスバー１１は、２つの互いに分離された部分領域に細分化されていてよい。
【０１１９】
上側のブスバーの下方には、導電性被覆８により形成された区域縁部１６を備えた第１の被覆のない区域１４が配置されている。
【０１２０】
この第１の被覆のない区域１４を完全に取り囲む補助電極１５、１５′、１５″は、導電性被覆８の加熱フィールド１２を介して、上側のブスバー１１及び下側のブスバー１１′と電気的に連結されている。
【０１２１】
被覆のない区域１４は、ここでは例えば、少なくともほぼ長方形の輪郭を示す。この被覆のない区域１４は、少なくとも電磁スペクトルの１部分（例えば、赤外線、超短波領域、短波領域及び長波領域の無線電波）に対して透過性であり、フロントウィンドガラス１を通した円滑なデータ通信を可能にする。被覆のない区域１４は、例えば導電性被覆８を内側ウィンドガラス３に施す際に予めマスキングすることにより製造することができる。その代わりに、この被覆のない区域１４は、導電性被覆８を施した後に、例えばエッチング又は摩擦車の使用による化学的及び／又は機械的な取り去りによって製造してもよい。
【０１２２】
上側のブスバー１１及び下側のブスバー１１′並びに補助電極１５、１５′、１５″は、スクリーン印刷法を用いて、導電性被覆８に金属性のスクリーン印刷ペースト、殊に銀ペーストを印刷することにより、好ましくは１つの方法工程で製造される。
【０１２３】
本発明の場合に、ここで、ブスバー１１の製造のために、銀ペーストの全体量を基準として８０質量％の銀含有率の明るい銀ペーストが使用される。
【０１２４】
本発明の場合に、ここで、補助電極１５、１５′、１５″の製造のために、銀ペーストの全体量を基準として６５質量％の銀含有率の暗い銀ペーストが使用される。
【０１２５】
生じる補助電極１５、１５′、１５″は、ブスバー１１、１１′の電気伝導率の０．１５倍の電気伝導率を示す。
【０１２６】
本発明による方法は、ブスバー１１及び１１′が完全に、かつ第１の被覆のない区域１４が部分的にのみ、マスキングストリップ１３によって覆い隠されるように実施される。
【０１２７】
異なる銀含有率の銀ペーストの本発明による使用により、図１による本発明による透明のウィンドガラスは、電気特性に関するＯＥＭの要求、殊に供給電圧の印加時及び長期稼働時のホットスポットの抑制だけでなく、色彩造形に関する要求も満たす。
【０１２８】
図４は、内側から見た、自動車の透明のフロントウィンドガラス１を示す。フロントウィンドガラス１は、ここでも、合わせガラスとして形成されていて、この合わせガラスの構造は、図２においてフロントウィンドガラス１の垂直方向の部分断面図を用いて及び図３においてフロントウィンドガラス１の遠近法による部分断面図を用いて具体的に説明される。
【０１２９】
図４による透明のフロントウィンドガラス１は、図１による透明のフロントウィンドガラス１とは、被覆のない区域１４を、区域縁部１６の区間の４分の３だけ部分的に取り囲む補助電極１５、１５′、１５″の使用により異なるだけである。
【０１３０】
異なる銀含有率の銀ペーストの本発明による使用により、図４による本発明による透明のウィンドガラスは、電気特性に関するＯＥＭの要求、殊に供給電圧の印加時及び長期稼働時のホットスポットの抑制だけでなく、色彩造形に関する要求も満たす。
【０１３１】
図５は、内側から見た、自動車の透明のフロントウィンドガラス１を示す。フロントウィンドガラス１は、ここでも、合わせガラスとして形成されていて、この合わせガラスの構造は、図２においてフロントウィンドガラス１の垂直方向の部分断面図を用いて及び図３においてフロントウィンドガラス１の遠近法による部分断面図を用いて具体的に説明される。
【０１３２】
図５による透明のフロントウィンドガラス１は、図１による透明のフロントウィンドガラス１とは、補助電極の部分領域１５、１５′として、被覆のない区域１４を、区域縁部１６の区間のほぼ半分だけ部分的に取り囲む補助電極１５、１５′、１５″の使用により異なるだけである。この両方の部分領域１５、１５′は、区域縁部１６の区間のほぼ４分の１であり、かつ部分的に、区域縁部１６の部分に沿って被覆のない区域１４を通過するように案内されている部分領域１５″により接続されている。
【０１３３】
異なる銀含有率の銀ペーストの本発明による使用により、図５による本発明による透明のウィンドガラスは、電気特性に関するＯＥＭの要求、殊に供給電圧の印加時及び長期稼働時のホットスポットの抑制だけでなく、色彩造形に関する要求も満たす。
【０１３４】
図６は、内側から見た、自動車の透明のフロントウィンドガラス１を示す。フロントウィンドガラス１は、ここでも、合わせガラスとして形成されていて、この合わせガラスの構造は、図２においてフロントウィンドガラス１の垂直方向の部分断面図を用いて及び図３においてフロントウィンドガラス１の遠近法による部分断面図を用いて具体的に説明される。
【０１３５】
図６による透明のフロントウィンドガラス１は、図１による透明のフロントウィンドガラス１とは、被覆のない区域１４に対して更に、その左側及び右側でかつブスバー１１の下側に、それぞれ１つの更なる被覆のない区域１４′及び１４″が配置されていて、これらの区域１４′及び１４″は、マスキングストリップ１３、１３′により完全に覆い隠されていることにより異なるだけである。
【０１３６】
異なる銀含有率の銀ペーストの本発明による使用により、図６による本発明による透明のウィンドガラスは、電気特性に関するＯＥＭの要求、殊に供給電圧の印加時及び長期稼働時のホットスポットの抑制だけでなく、色彩造形に関する要求も満たす。
【０１３７】
本発明の別の態様は、少なくとも１つの加熱可能な導電性被覆（８）を備え、この導電性被覆（８）は、電源の両方の極と電気的に接続することが予定されている少なくとも２つのブスバー（１１、１１′）と、供給電圧の印加により加熱電流が少なくとも２つのブスバーの間に形成された加熱フィールド（１２）を介して流れるように接続されていて、この加熱フィールド（１２）は、少なくとも１つの被覆のない区域（１４）を備え、この被覆のない区域（１４）は、導電性被覆（８）により少なくとも部分的に形成された、被覆のない区域（１４）の区域縁部（１６）により区切られ、かつこの被覆のない区域（１４）は、少なくとも１つの補助電極（１５、１５′、１５″）により少なくとも部分的に取り囲まれている透明のウィンドガラス（１）において、
−  少なくとも１つの補助電極（１５、１５′、１５″）は、被覆（８）の加熱フィールド（１２）を介してブスバー（１１、１１′）と電気的に接続されていて、かつ
−  少なくとも２つのブスバー（１１、１１′）は明るい銀色の色調を示し、かつ補助電極は暗い色調を示す、
透明のウィンドガラス（１）を含む。
【０１３８】
本発明は、更に、少なくとも２つのブスバー（１１，１１′）が、少なくとも１つの補助電極（１５、１５′、１５″）よりも高い銀含有率を示す、透明のウィンドガラス（１）を含む。
【０１３９】
本発明は、更に、少なくとも１つの補助電極（１５、１５′、１５″）の電気伝導率が、少なくとも２つのブスバー（１１、１１′）の電気伝導率の０．０５〜０．３倍である、透明のウィンドガラス（１）を含む。
【０１４０】
本発明は、更に、少なくとも２つのブスバー（１１、１１′）が、Ｌ*＞６５、好ましくは＞８０の明るい銀色の色調を示し、かつ少なくとも１つの補助電極（１５、１５′、１５″）が、Ｌ*≦６５、好ましくは＜５０の暗い色調を示す透明のウィンドガラス（１）に関する。
【０１４１】
本発明の別の態様は、少なくとも１つの加熱可能な導電性被覆（８）を備え、この導電性被覆（８）は、電源の両方の極と電気的に接続することが予定されている少なくとも２つのブスバー（１１、１１′）と、供給電圧の印加により加熱電流が少なくとも２つのブスバーの間に形成された加熱フィールド（１２）を介して流れるように接続されていて、この加熱フィールド（１２）は、少なくとも１つの被覆のない区域（１４）を備え、この被覆のない区域（１４）は、導電性被覆（８）により少なくとも部分的に形成された、被覆のない区域（１４）の区域縁部（１６）により区切られ、かつこの被覆のない区域（１４）は、少なくとも１つの補助電極（１５、１５′、１５″）により少なくとも部分的に取り囲まれている透明のウィンドガラス（１）において、
−  少なくとも１つの補助電極（１５、１５′、１５″）は、被覆（８）の加熱フィールド（１２）を介してブスバー（１１、１１′）と電気的に接続されていて、かつ
−  少なくとも２つのブスバー（１１、１１′）が、Ｌ*＞６５、好ましくは＞８０の明るい銀色の色調を示し、かつ少なくとも１つの補助電極（１５、１５′、１５″）が、Ｌ*≦６５、好ましくは＜５０の暗い色調を示す
透明のウィンドガラス（１）を含む。
【図１】
0006509329.tif 000002
【図２】
0006509329.tif 000003
【図３】
0006509329.tif 000004
【図４】
0006509329.tif 000005
【図５】
0006509329.tif 000006
【図６】
0006509329.tif 000007